(57)【要約】【課題】調整可能な範囲の音量のレベルを表すデータを記憶する音量データ記憶部に記憶すべきデータ量を低減することができるオーディオ装置を提供する。【解決手段】ＭＰＵ３０は、音量を粗く調整するための通常モードである場合、音量レベルを表すデータを“０”から“６４”まで４レベル刻みで１７個算出して音量データ記憶部６ａに上書きする。一方、音量を細かく調整するためのファインモードである場合、ＭＰＵ３０は、通常モードで調整された音量レベル（例えば“２４”）を中心に、音量レベルを表すデータを“１６”から“３２”まで１レベル刻みで１７個算出して音量データ記憶部６ａに上書きする。そしてＭＰＵ３０は、例えばユーザによる音量アップキー４１又は音量ダウンキー４２の操作回数に応じた音量レベルを表すデータを音量データ記憶部６ａから読み出し、読み出したデータに基づいて、音量調整部２２による音量の調整を制御する。【選択図】図１
2008005332.tif 000002
【特許請求の範囲】
【請求項１】
出力すべき音声の音量を調整する音量調整部と、
音量を調整するための操作部と、
調整可能な範囲の音量のレベルを表すデータを記憶する音量データ記憶部と、
該音量データ記憶部から、前記操作部の操作に対応した音量のレベルを表すデータを読み出す読出手段と、
該読出手段が読み出したデータに基づいて、前記音量調整部による音量の調整を制御する調整制御手段と
を備えるオーディオ装置において、
前記音量データ記憶部に、音量を粗く調整する場合の調整可能な第１範囲の音量のレベルを表すデータと、音量を細かく調整する場合の調整可能な前記第１範囲よりも狭い第２範囲の音量のレベルを表すデータとを排他的に記憶させる記憶制御手段を備えることを特徴とするオーディオ装置。
【請求項２】
前記記憶制御手段は、
音量を粗く調整するか細かく調整するかを前記操作部の操作に応じて判定する判定手段と、
該判定手段が、音量を粗く調整すると判定した場合、前記第１範囲の音量のレベルを表すデータを、レベル間隔が広い状態で複数算出する第１データ算出手段と、
該第１データ算出手段が算出したデータを前記音量データ記憶部に上書き記憶させる第１上書手段と、
前記判定手段が、音量を細かく調整すると判定した場合、前記第２範囲の音量のレベルを表すデータを、レベル間隔が狭い状態で複数算出する第２データ算出手段と、
該第２データ算出手段が算出したデータを前記音量データ記憶部に上書き記憶させる第２上書手段と
を備えることを特徴とする請求項１に記載のオーディオ装置。
【請求項３】
前記第２データ算出手段は、前記操作部の操作に対応した音量のレベルを表すデータに基づいて、前記第２範囲の最大レベルを表すデータ及び最小レベルを表すデータを算出するようにしてあることを特徴とする請求項２に記載のオーディオ装置。
【請求項４】
前記第１データ算出手段がデータを算出する場合に、前記操作部の操作に対応した音量のレベルを表すデータに基づいて、前記レベルに等しいか、又は最も近似する前記第１範囲の音量のレベルを算出する音量レベル算出手段を備え、
前記読出手段は、前記音量データ記憶部から、前記音量レベル算出手段が算出した音量のレベルを表すデータを読み出すようにしてあることを特徴とする請求項２又は３に記載のオーディオ装置。
【請求項５】
表示部と、
前記第１データ算出手段が算出したデータに基づいて、前記第１範囲を示す表示内容を表示しつつ、前記操作部の操作に対応した音量のレベルを表示するよう前記表示部を制御する第１表示制御手段と、
前記第２データ算出手段が算出したデータに基づいて、前記第２範囲を示す表示内容を、前記第１範囲を示す表示内容に関連付けて表示しつつ、前記操作部の操作に対応した音量のレベルを表示するよう前記表示部を制御する第２表示制御手段と
を備えることを特徴とする請求項２乃至４の何れかひとつに記載のオーディオ装置。
【発明の詳細な説明】
【技術分野】
【０００１】
本発明は、出力すべき音声の音量を調整するオーディオ装置に関する。
【背景技術】
【０００２】
オーディオ装置は、ユーザが操作部を用いて音量の調整に係る操作をした場合に、スピーカから出力すべき音声の音量を調整するよう構成してある（特許文献１参照）。
【０００３】
オーディオ装置のユーザは、例えばオーディオ装置に設けられている操作部の音量キーを押圧操作することによって、オーディオ装置のスピーカから出力される音声の音量を所望の音量に調整する。
オーディオ装置は、操作部の音量キーが押圧操作される毎に、スピーカから出力すべき音声の音量を所定調整量だけ増加又は減少させる。
【０００４】
音量を調整するために、オーディオ装置は、スピーカから出力すべき音声の音量を調整する音量調整部と、音量調整部で調整可能な範囲の音量レベルを表すデータを記憶する音量データ記憶部とを予め備えている。
オーディオ装置の制御部は、操作部の操作に対応した音量レベルを表すデータを音量データ記憶部から読み出し、読み出したデータに基づいて、音量調整部による音量の調整を制御する。
【０００５】
ユーザの好み、オーディオ装置の使用態様（例えば周囲が静かな場所で使用するか、静かでない場所で使用するか）等に応じて適切な音量が出力可能であるように、調整可能な音量レベルの範囲は大音量から小音量まで広く設定されている方が好ましい。また、音量の細かい調整が可能であるように、音量の所定調整量が小さく設定されている（即ち音量レベルの間隔が狭く設定されている）方が好ましい。
この場合、例えば、音量レベル“０”から音量レベル“６４”まで、所定調整量を“１”として、６５個のデータが音量データ記憶部に記憶される。
【０００６】
しかしながら、音量の所定調整量が小さく設定されている場合、大音量（小音量）から小音量（大音量）へ大幅に変化させるためには、ユーザが操作部の音量キーを多数回押圧操作する必要があり、ユーザの利便性が低下するという問題がある。
【０００７】
このような問題を解決するために、ユーザが音量を粗く調整するための通常モードと音量を細かく調整するためのファインモードとを有するオーディオ装置が考えられる。
通常モードの場合、制御部は、音量が粗く調整可能であるように、例えば所定調整量を“４”として、操作部の操作に対応した音量レベルを表すデータを音量データ記憶部から読み出し、読み出したデータに基づいて、音量調整部による音量の調整を制御する。このとき、音量データ記憶部から読み出されるデータは、音量レベル“０”，“４”，“８”，…，“６０”，“６４”に対応するデータである。
【０００８】
一方、ファインモードの場合、制御部は、音量が細かく調整可能であるように、例えば所定調整量を“１”として、操作部の操作に対応した音量レベルを表すデータを音量データ記憶部から読み出し、読み出したデータに基づいて、音量調整部による音量の調整を制御する。このとき、音量データ記憶部から読み出されるデータは、音量レベル“０”，“１”，“２”，…，“６３”，“６４”に対応するデータである。
【０００９】
以上のようなオーディオ装置を用いるユーザは、まず通常モードで音量を４レベルずつ粗く調整してから、ファインモードに切り換えて、音量を所定調整量を１レベルずつ細かく調整することによって、所望の音量でオーディオ装置に音声を出力させることができる。
【特許文献１】特許第３５７８２３１号公報
【発明の開示】
【発明が解決しようとする課題】
【００１０】
しかしながら、以上のような従来のオーディオ装置は、音量データ記憶部に多量（例えば音量レベル“０”〜“６４”の６５個分）のデータを記憶しておく必要があり、音量データ記憶部を設けるために記憶容量が小さいＥＥＰＲＯＭ、ＲＡＭ等を利用することができない。
【００１１】
本発明は斯かる事情に鑑みてなされたものであり、その主たる目的は、調整可能な広い（狭い）範囲の音量の粗い（細かい）レベルを表すデータを排他的に音量データ記憶部に記憶させる構成とすることにより、音量データ記憶部に記憶すべきデータ量を低減して、記憶容量が小さな記憶手段に音量データ記憶部を設けることができるオーディオ装置を提供することにある。
【００１２】
本発明の他の目的は、音量を粗く（細かく）調整する場合、調整可能な広い（狭い）範囲の音量のレベルを表すデータを、レベル間隔が広い（狭い）状態で複数算出し、算出したデータを音量データ記憶部に上書き記憶させる構成とすることにより、記憶すべきデータ量を低減して、記憶容量が小さな記憶手段を備えることができるオーディオ装置を提供することにある。
【００１３】
本発明の他の目的は、操作部の操作に対応した音量のレベルを表すデータに基づいて、調整可能な狭い範囲の最大レベルを表すデータ及び最小レベルを表すデータを算出する構成とすることにより、音量を粗く調整した後、例えば調整した音量レベルを中心にして、音量を細かく調整することができるオーディオ装置を提供することにある。
【００１４】
本発明の他の目的は、操作部の操作に対応した音量のレベルを表すデータに基づいて、このレベルに等しいか近似するレベルであって、調整可能な広い範囲の音量のレベルを算出する構成とすることにより、音量を細かく調整した後、例えば調整した音量レベルを起点にして、音量を粗く調整することができるオーディオ装置を提供することにある。
【００１５】
本発明の更に他の目的は、音量を粗く調整する場合と細かく調整する場合とで、音量の調整可能な広い範囲を示す表示と、この表示に関連付けられ、音量の調整可能な狭い範囲を示す表示とを切り換える構成とすることにより、音量の調整態様をユーザが容易に視認することができるオーディオ装置を提供することにある。
【課題を解決するための手段】
【００１６】
本発明に係るオーディオ装置は、出力すべき音声の音量を調整する音量調整部と、音量を調整するための操作部と、調整可能な範囲の音量のレベルを表すデータを記憶する音量データ記憶部と、該音量データ記憶部から、前記操作部の操作に対応した音量のレベルを表すデータを読み出す読出手段と、該読出手段が読み出したデータに基づいて、前記音量調整部による音量の調整を制御する調整制御手段とを備えるオーディオ装置において、前記音量データ記憶部に、音量を粗く調整する場合の調整可能な第１範囲の音量のレベルを表すデータと、音量を細かく調整する場合の調整可能な前記第１範囲よりも狭い第２範囲の音量のレベルを表すデータとを排他的に記憶させる記憶制御手段を備えることを特徴とする。
【００１７】
本発明に係るオーディオ装置は、前記記憶制御手段は、音量を粗く調整するか細かく調整するかを前記操作部の操作に応じて判定する判定手段と、該判定手段が、音量を粗く調整すると判定した場合、前記第１範囲の音量のレベルを表すデータを、レベル間隔が広い状態で複数算出する第１データ算出手段と、該第１データ算出手段が算出したデータを前記音量データ記憶部に上書き記憶させる第１上書手段と、前記判定手段が、音量を細かく調整すると判定した場合、前記第２範囲の音量のレベルを表すデータを、レベル間隔が狭い状態で複数算出する第２データ算出手段と、該第２データ算出手段が算出したデータを前記音量データ記憶部に上書き記憶させる第２上書手段とを備えることを特徴とする。
【００１８】
本発明に係るオーディオ装置は、前記第２データ算出手段は、前記操作部の操作に対応した音量のレベルを表すデータに基づいて、前記第２範囲の最大レベルを表すデータ及び最小レベルを表すデータを算出するようにしてあることを特徴とする。
【００１９】
本発明に係るオーディオ装置は、前記第１データ算出手段がデータを算出する場合に、前記操作部の操作に対応した音量のレベルを表すデータに基づいて、前記レベルに等しいか、又は最も近似する前記第１範囲の音量のレベルを算出する音量レベル算出手段を備え、前記読出手段は、前記音量データ記憶部から、前記音量レベル算出手段が算出した音量のレベルを表すデータを読み出すようにしてあることを特徴とする。
【００２０】
本発明に係るオーディオ装置は、表示部と、前記第１データ算出手段が算出したデータに基づいて、前記第１範囲を示す表示内容を表示しつつ、前記操作部の操作に対応した音量のレベルを表示するよう前記表示部を制御する第１表示制御手段と、前記第２データ算出手段が算出したデータに基づいて、前記第２範囲を示す表示内容を、前記第１範囲を示す表示内容に関連付けて表示しつつ、前記操作部の操作に対応した音量のレベルを表示するよう前記表示部を制御する第２表示制御手段とを備えることを特徴とする。
【００２１】
本発明にあっては、記憶制御手段が、音量を粗く調整する場合の調整可能な第１範囲の音量のレベルを表すデータと、音量を細かく調整する場合の調整可能な第２範囲の音量のレベルを表すデータとを排他的に音量データ記憶部に記憶させる。即ち、第１範囲の音量のレベルを表すデータ及び第２範囲の音量のレベルを表すデータの何れか一方が音量データ記憶部に記憶され、両方が音量データ記憶部に記憶されることはない。
つまり、音量データ記憶部の記憶容量は、第１範囲の音量のレベルを表すデータのデータ量及び第２範囲の音量のレベルを表すデータのデータ量の内、何れか多い方のデータ量以上であればよい。
【００２２】
第２範囲は第１範囲よりも狭いため、第２範囲の音量のレベルを表すデータのデータ量を、第１範囲の音量のレベルを表すデータのデータ量と略等しくすることが可能となる。仮に、第１範囲の広さと第２範囲の広さとが等しい場合、音量を粗く調整するための第１範囲に係るデータ量よりも、音量を細かく調整するための第２範囲に係るデータ量の方が多くなる。
【００２３】
読出手段は、第１範囲又は第２範囲の音量のレベルを表すデータが記憶されている音量データ記憶部から、音量を調整するために操作される操作部の操作に対応した音量のレベルを表すデータを読み出し、調整制御手段は、読出手段が読み出したデータに基づいて、出力すべき音声の音量を調整する音量調整部による音量の調整を制御する。
この場合、音量データ記憶部に第１範囲（第２範囲）の音量のレベルを表すデータが記憶されているときは、操作部が操作されることによって、音量は粗く（細かく）調整される。
【００２４】
本発明にあっては、記憶制御手段は、判定手段と、第１データ算出手段及び第１上書手段と、第２データ算出手段及び第２上書手段とを備える。
判定手段は、音量を粗く調整するか細かく調整するかを、操作部の操作に応じて判定する。例えば、音量を粗く調整する場合に操作すべきキーが押圧操作されたか、音量を細かく調整する場合に操作すべきキーが押圧操作されたかを判定する。
【００２５】
例えば音量を粗く（細かく）調整する場合に操作すべきキーが押圧操作されて、判定手段が、音量を粗く（細かく）調整すると判定した場合、第１データ算出手段（第２データ算出手段）は、第１範囲（第２範囲）の音量のレベルを表すデータを、レベル間隔が広い（狭い）状態で複数算出する。
第１上書手段（第２上書手段）は、第１データ算出手段（第２データ算出手段）が算出したデータを、音量データ記憶部に上書き記憶させる。
【００２６】
つまり、音量データ記憶部が記憶すべきデータは、音量データ記憶部又は他の記憶部に予め記憶されているのではなく、音量データ記憶部に記憶する前に、第１データ算出手段又は第２データ算出手段によって算出される。
【００２７】
本発明にあっては、判定手段が、音量を細かく調整すると判定した場合、第２データ算出手段は、第２範囲の最大レベルを表すデータ及び最小レベルを表すデータを、操作部の操作に対応した音量のレベルを表すデータに基づいて算出し、また、第２範囲の音量のレベルを表すデータを、レベル間隔が広い小さい状態で複数算出する。
ユーザは、一般に、音量を粗く調整してから細かく調整する。つまり、第２範囲の音量のレベルを表すデータを算出する際、操作部の操作に対応した音量のレベルとは、粗く調整された状態の音量のレベルである。このため、音量の調整が可能な第２範囲が、粗く調整された状態の音量のレベルに基づいて決定される。
【００２８】
本発明にあっては、判定手段が、音量を粗く調整すると判定した場合、第１データ算出手段は、第１範囲の音量のレベルを表すデータを、レベル間隔が広い状態で複数算出し、また、音量レベル算出手段は、操作部の操作に対応した音量のレベルを表すデータに基づいて、このレベルに等しいか、又はこのレベルに最も近似するレベルであって、第１範囲に含まれるレベルを算出する。そして、第１上書手段は、第１データ算出手段が算出したデータを、音量データ記憶部に上書き記憶させる。
【００２９】
更に、読出手段は、第１データ算出手段が算出したデータ、即ち第１範囲の音量のレベルを表すデータが記憶された音量データ記憶部から、音量レベル算出手段が算出した音量のレベルを表すデータを読み出す。ここで読み出されるデータは、第１範囲の音量のレベルであり、しかも、操作部の操作に対応した音量のレベルを表すデータか、又は、このレベルに最も近似するレベルを表すデータである。
最後に、調整制御手段は、読出手段が読み出したデータに基づいて、出力すべき音声の音量を調整する音量調整部による音量の調整を制御する。
【００３０】
操作部の操作に対応した音量のレベルが第２範囲の音量のレベルに等しく、第１範囲の音量のレベルとは異なる場合、操作部の操作に対応した音量のレベルを表すデータを、第１範囲の音量のレベルを表すデータが記憶された音量データ記憶部から読み出すことができない。このような不具合を防止するために、音量レベル算出手段が、操作部の操作に対応した音量のレベルに等しいか又は最も近似するレベルであって、第１範囲の音量のレベルに含まれるレベルを算出した後で、操作部の操作に対応した音量のレベルを表すデータを音量データ記憶部から読み出す。
【００３１】
本発明にあっては、第１表示制御手段（第２表示制御手段）が、第１データ算出手段（第２データ算出手段）が算出したデータに基づいて、音量の調整が可能な第１範囲（第２範囲）を示す表示内容を表示しつつ、操作部の操作に対応した音量のレベルを表示する。
ここで、第２範囲を示す表示内容は、第１範囲を示す表示内容に関連付けて表示される。
【発明の効果】
【００３２】
本発明のオーディオ装置による場合、音量を粗く調整するときの調整可能な第１範囲の音量のレベルを表すデータのデータ量と、音量を細かく調整するときの調整可能な第２範囲の音量のレベルを表すデータのデータ量とが等しいか大差がなく、また、第１範囲の音量のレベルを表すデータ及び第２範囲の音量のレベルを表すデータの内の一方を音量データ記憶部に記憶させる。このため、音量データ記憶部に記憶すべきデータ量を低減することができ、記憶容量が小さな記憶手段（ＥＥＰＲＯＭ、ＲＡＭ等）に音量データ記憶部を設けることができる。
【００３３】
また、音量データ記憶部に第１範囲の音量のレベルを表すデータが記憶されている場合は、ユーザが操作部を操作することによって、音量を粗く調整することができ、同様に、音量データ記憶部に第２範囲の音量のレベルを表すデータが記憶されている場合は、音量を細かく調整することができる。このため、ユーザの利便性を向上させることができる。
【００３４】
本発明のオーディオ装置による場合、音量データ記憶部に記憶する前に、第１データ算出手段又は第２データ算出手段によってデータが算出されるため、ＥＥＰＲＯＭ、ＲＡＭ等の記憶手段に、音量データ記憶部が記憶すべきデータを予め記憶しておく必要がない。このため、記憶手段に記憶すべきデータ量を低減して、記憶容量が小さな記憶手段を備えることができる。
【００３５】
また、音量を粗く調整するか細かく調整するかが、操作部の操作に応じて判定され、判定結果に応じて、第１範囲の音量のレベルを表すデータ及び第２範囲の音量のレベルを表すデータの内の一方が音量データ記憶部に上書き記憶される。そして、音量データ記憶部に第１範囲（第２範囲）の音量のレベルを表すデータが記憶されている場合は、ユーザは音量を粗く（細かく）調整することができる。つまり、ユーザは操作部を操作して、オーディオ装置を、音量を粗く調整するための通常モードと音量を細かく調整するためのファインモードとを切り換えて使用し、所望の音量でオーディオ装置に音声を出力させることができる。
【００３６】
本発明のオーディオ装置による場合、音量の調整が可能な第２範囲が、粗く調整された状態の音量のレベルに基づいて決定されるため、例えば音量を粗く調整した後、調整された音量レベルを中心にして、音量を細かく調整することができる。
【００３７】
本発明のオーディオ装置による場合、第１範囲の音量のレベルを表すデータが記憶された音量データ記憶部から、第１範囲の音量のレベルであり、しかも、操作部の操作に対応した音量のレベルを表すデータか、又は、このレベルに最も近似するレベルを表すデータを読み出し、読み出したデータに基づいて、出力すべき音声の音量が調整される。
このため、例えば音量を細かく調整した後、調整された音量レベルか、調整された音量レベルに最も近い音量レベルを起点にして、音量を粗く調整することができる。
【００３８】
本発明のオーディオ装置による場合、音量の調整に関する適宜の表示内容を表示部に表示することによって、音量の調整態様をユーザが容易に視認することができる。
【００３９】
具体的には、ユーザは、音量の調整が可能な第１範囲を示す表示内容を視認して、例えば通常モードにおける音量の調整可能範囲を把握し、更に、操作部の操作に対応した音量のレベルを視認して、現状の音量のレベルを把握することができる。
【００４０】
又は、ユーザは、音量の調整が可能な第２範囲を示す表示内容を視認して、例えばファインモードにおける音量の調整可能範囲を把握し、更に、操作部の操作に対応した音量のレベルを視認して、現状の音量のレベルを把握することができる。
しかも、音量の調整が可能な第２範囲を示す表示内容は、第１範囲を示す表示内容に関連付けて表示されるため、ファインモードにおける音量の調整可能範囲と通常モードにおける音量の調整可能範囲との関係を視覚的に把握し易い。
【発明を実施するための最良の形態】
【００４１】
以下、本発明を、その実施の形態を示す図面に基づいて詳述する。
【００４２】
図１は、本発明に係るオーディオ装置１の構成を示すブロック図である。
オーディオ装置１は、ラジオ受信機、ＣＤプレイヤ等の音声発生装置であり、オーディオ装置本体２、及びオーディオ装置本体２とは別体に設けられたリモートコントローラ（以下、リモコンという）５を備える。
オーディオ装置本体２には、スピーカ２１、スピーカ２１から出力すべき音声の音量を調整する音量調整部２２、液晶パネルを用いてなる表示部２３、リモコン受光部２４、制御部３、操作パネル４、及びＥＥＰＲＯＭ７が備えられている。
【００４３】
制御部３は、ＭＰＵ３０と、ＭＰＵ３０に接続されているリモコンデコード部３１及びＲＡＭ６とを備える。
ＭＰＵ３０は、ＲＡＭ６を作業領域として用い、ＭＰＵ３０に接続されているＥＥＰＲＯＭ７に予め記憶されている制御プログラム、データ等に従って装置各部を制御し、各種処理を実行する。
【００４４】
ＥＥＰＲＯＭ７の記憶領域の一部は関数記憶部７ａであり、関数記憶部７ａには、後述するＳ１１及びＳ５１夫々で用いられる関数と、Ｓ３１で用いられる関数とが記憶してある。これらの関数のデータ量は、例えば後述する音量データ記憶部６ａに記憶されるデータの総量に比べて非常に小さい。つまり、関数記憶部７ａとして用いられる記憶容量は非常に小さい。
【００４５】
本実施の形態のオーディオ装置１は、オーディオ装置１のユーザが音量を粗く調整するための通常モードと、音量を細かく調整するためのファインモードとを有する。
【００４６】
操作パネル４及びリモコン５には、音量を増大させる（音量レベルを高くする）ためにユーザが押圧操作する音量アップキー４１，５１と、音量を減少させる（音量レベルを低くする）ためにユーザが押圧操作する音量ダウンキー４２，５２とが設けられている。また、操作パネル４及びリモコン５には、通常モード時（ファインモード時）にファインモード（通常モード）に切り換えるためにユーザが押圧操作するモード切換キー４３，５３が設けられている。
【００４７】
操作パネル４はＭＰＵ３０に接続されており、各キー４１，４２，４３が押圧操作された場合に、各キー４１，４２，４３が操作されたことを示す操作信号をＭＰＵ３０に与える。
なお、各キー４１，４２，４３はハードキーでもよく、表示部２３に重ねて配置してあるタッチパネル上にＭＰＵ３０によって設けられるソフトキーでもよい。
【００４８】
リモコン５は、赤外線を用いてオーディオ装置本体２と通信可能に構成されており、各キー５１，５２，５３が押圧操作された場合に、各キー５１，５２，５３が操作されたことを示す操作信号を含む赤外線を発光するリモコン発光部５４を備える。
リモコン発光部５４が発光した赤外線は、オーディオ装置本体２のリモコン受光部２４が受光する。リモコン受光部２４はリモコンデコード部３１に接続されており、受光した赤外線を電気信号に変換してリモコンデコード部３１に与える。
リモコン受光部２４から電気信号を与えられたリモコンデコード部３１は、与えられた電気信号に基づいて操作信号を復号して、ＭＰＵ３０に与える。
【００４９】
ＭＰＵ３０は、音量アップキー４１，５１（音量ダウンキー４２，５２）が操作されたことを示す操作信号を与えられた場合に、音量アップキー４１，５１（音量ダウンキー４２，５２）が操作されたと判定する（後述するＳ１８，Ｓ３８参照）。
また、ＭＰＵ３０は、モード切換キー４３，５３が操作されたことを示す操作信号を与えられた場合に、モード切換キー４３，５３が操作されたと判定する（後述するＳ２０，Ｓ４０参照）。
【００５０】
このような操作パネル４又はリモコン５を用い、ユーザは、音量アップキー４１，５１（音量ダウンキー４２，５２）を押圧操作することによって、スピーカ２１から出力される音声の音量を所望の音量に調整する。
ＭＰＵ３０は、音量アップキー４１，５１（音量ダウンキー４２，５２）が押圧操作される毎に、スピーカ２１から出力すべき音声の音量を所定調整量だけ増大（減少）させるよう音量調整部２２を制御する。
【００５１】
ＭＰＵ３０に制御された音量調整部２２は、デジタル信号である音声信号の音量を調整し、音量調整部２２によって音量が調整された音声信号は、音量調整部２２に接続されているスピーカ２１に与えられて、所要の音量を有する音声として出力される。
【００５２】
さて、表示部２３は、ＭＰＵ３０に制御されて、オーディオ装置１の動作状態、ユーザに対する入力指示等を表示し、ユーザは、表示部２３を見ながら操作パネル４又はリモコン５を操作する。
【００５３】
ＲＡＭ６の記憶領域の一部は、音量調整部２２にて調整可能な範囲の音量のレベルを表すデータを記憶する音量データ記憶部６ａであり、他の一部は、現状値記憶部６ｂ及び最終値記憶部６ｃである。
【００５４】
図２は、音量データ記憶部６ａに、通常モード時に記憶されるデータの一例を示す模式図であり、図３は、音量データ記憶部６ａに、ファインモード時に記憶されるデータの一例を示す模式図である。
【００５５】
図２及び図３に示すように、音量データ記憶部６ａには、調整可能な範囲の音量のレベルを表すデータである８ビットデータが１７個、この８ビットデータを参照するためのポインタに関連付けて記憶されている。
ＭＰＵ３０は、この８ビットデータを音量データ記憶部６ａから読み出し、読み出した８ビットデータに基づいて、音量調整部２２による音量の調整を制御する。また、ＭＰＵ３０は、この８ビットデータに基づいて、後述するように、音量の調整に関する表示内容を表示部２３に表示させる。
【００５６】
ここで、８ビットデータは音量レベルを表すデータであり、０レベルから６４レベルまで６５段階の音量レベルに対応している。つまり、オーディオ装置１においては、音量レベル“０”から音量レベル“６４”まで、所定調整量を“１”として、６５個のデータが用いられる。
ただし、この６５個のデータが全て音量データ記憶部６ａに記憶されることはない。更に詳細には、オーディオ装置１においては６５個の８ビットデータが用いられるが、音量データ記憶部６ａに一度に記憶されるのは１７個である（後述するＳ１２，Ｓ３２，Ｓ５２参照）ため、音量データ記憶部６ａ、延いては音量データ記憶部６ａが設けられるＲＡＭ６の記憶容量が低減される。
【００５７】
図２及び図３には、音量データ記憶部６ａに記憶されるデータの一例に関連付けて、このデータに対応する音量レベルと、表示部２３に表示される音量レベル（以下、表示レベルという）も示されている。
【００５８】
通常モードは、大音量（小音量）から小音量（大音量）へ大幅に音量を調整するためのモードである。このために、通常モードにおける音量の調整可能な範囲は、スピーカ２１が出力可能な最小の音量レベル“０”と最大の音量レベル“６４”とを有する広い範囲（第１範囲）である。また、ユーザが音量アップキー４１，５１又は音量ダウンキー４２，５２を多数回押圧操作せずとも所望の音量か、又は所望の音量に近似した音量に調整可能であるように、所定調整量Ｇ１を大きく（即ちレベル間隔を広く）設けてある（具体的には“４”）。
【００５９】
このため、音量データ記憶部６ａに記憶されるデータは、図２に示すように、音量レベル“０”，“４”，“８”，…，“６０”，“６４”夫々に対応する８ビットデータ“００００００００”，…，“０１００００００”の１７個である。
通常モードで用いられる音量レベルを算出する関数Ｌ１は、例えば、“０”から“１６”まで１７個の整数Ｎ、及び所定調整量Ｇ１＝４に対し、
Ｌ１＝Ｎ×Ｇ１      （１）
である。
【００６０】
通常モードで表示部２３に表示される表示レベルは、音量レベル“０”，“４”，“８”，…，“６０”，“６４”夫々に対応して、表示レベル“０”，“１”，“２”，…，“１５”，“１６”が設定されている。
仮に、音量レベル“０”，“４”，“８”，…，“６０”，“６４”夫々に対応して表示部２３に“０”，“４”，“８”，…，“６０”，“６４”という“４”刻みの数値が表示レベルとして表示されると、ユーザが現状の音量を感覚的に把握し難いという問題がある。
【００６１】
一方、ファインモードは、現状の音量から小刻みに音量を調整して所望の音量を得るためのモードである。このために、ファインモードにおける音量の調整可能な範囲は、通常モードで調整された現状の音量レベルを中心とする狭い範囲（第２範囲）である。この結果、第２範囲には、スピーカ２１が出力可能な最小の音量レベル“０”と最大の音量レベル“６４”とが両方とも含まれないか、少なくとも一方が含まれない。また、ユーザの所望の音量に調整可能であるように、所定調整量Ｇ２を小さく（即ちレベル間隔を狭く）設けてある（具体的には“１”）。
【００６２】
このため、音量データ記憶部６ａに記憶されるデータは、例えば通常モードからファインモードへ移行した時点での現状の音量レベルが“２４”（表示レベル“６”）である場合、図３に示すように、音量レベル“１６”，“１７”，“１８”，…，“２３”，“２４”，“２５”…，“３１”，“３２”夫々に対応する８ビットデータ“０００１００００”，…，“００１０００００”の１７個である。
【００６３】
ファインモードで用いられる音量レベルを算出する関数Ｌ２は、通常モードからファインモードへ移行した時点での現状の音量レベルをＬ０とすると、所定増現値Ｇ２＝１に対し、
Ｌ２＝（Ｎ−８）×Ｇ２＋Ｌ０      （２）
である。
【００６４】
音量レベル“０”未満、及び音量レベル“６４”超過の音量レベルは存在しないため、式（２）の算出結果が音量レベル“０”未満又は“６４”超過である場合、ファインモードにおいては、存在しない音量レベルは無視されて、１７個未満の個数の音量レベルが用いられる。この場合、後述する音量調整用バーＢ２は、使用可能な音量レベルの個数に応じて短い音量調整用バーＢ２が表示部２３に表示される。
【００６５】
ファインモードで表示部２３に表示される表示レベルは、図３の場合、音量レベル“１６”，“２０”，“２４”，“２８”，“３２”夫々に対応して、表示レベル“４”，“５”，“６”，“７”，“８”が設定されている。
つまり、通常モード及びファインモード両方で用いられる音量レベルにのみ表示レベルが設定されており、ファインモードでのみ用いられる音量レベルには表示レベルが設定されていない。仮に、ファインモードでのみ用いられる音量レベルにも表示レベルを設定すると、例えば表示レベル“６”と“７”との間の表示レベルは“６．２５”，“６．５”，“６．７５”のようになり、ユーザが現状の音量を感覚的に把握し難いという問題がある。
【００６６】
現状値記憶部６ｂに記憶されるデータは、図２及び図３に示すようなポインタのデータ１個である（後述するＳ１３，Ｓ１９，Ｓ３３，Ｓ３９，Ｓ５４参照）ため、データ量は非常に小さい。また、最終値記憶部６ｃに記憶されるデータは、図２及び図３に示すような８ビットデータ１個である（後述するＳ２２，Ｓ４２参照）ため、データ量は非常に小さい。つまり、現状値記憶部６ｂ及び最終値記憶部６ｃとして用いられる記憶容量は非常に小さい。
【００６７】
図４（ａ）〜（ｃ）は、夫々表示部２３に、通常モード時に表示される画面の一例を示す模式図である。
表示部２３には、音量レベル“０”から音量レベル“６４”までの間で音量を粗く調整するための第１範囲を示す音量調整用バーＢ１が表示される。音量調整用バーＢ１の両端には、通常モードで調整可能な第１範囲の最小レベル“０”及び最大レベル“６４”に対応する表示レベル“０”及び“１６”が算数字で表示される。
このため、音量調整用バーＢ１を視認したユーザは、音量を０レベルから１６レベルまで、広い範囲で大幅に調整可能であることが容易に把握できる。
【００６８】
音量調整用バーＢ１には、現状の音量レベルに対応する表示レベル（図４（ａ）の場合は“５”、図４（ｂ）の場合は“６”、図４（ｃ）の場合は“７”）が算数字で表示される。更に、音量調整用バーＢ１内には、現状の音量レベルに対応するバー（図４（ａ）の場合は音量表示バーＢ５、図４（ｂ）の場合は音量表示バーＢ６、図４（ｃ）の場合は音量表示バーＢ７）が反転表示される。
【００６９】
音量調整用バーＢ１内のバーは、ユーザによる音量アップキー４１，５１（音量ダウンキー４２，５２）の押圧操作に応じて、所定の１目盛ずつ増加（減少）する。この１目盛の長さは音量調整用バーＢ１の長さの１６等分の長さである。
このため、音量調整用バーＢ１の長さと音量表示バーＢ５，Ｂ６，Ｂ７の長さとを目測で比較したユーザは、現状の音量レベルを感覚的に容易に把握できる。
【００７０】
具体的には、現状の音量レベルが“２４”である場合、表示部２３には図４（ｂ）に示すように、音量調整用バーＢ１、音量表示バーＢ６、及び現状の音量レベル“２４”に対応する表示レベル“６”とが表示され、スピーカ２１からは音量レベル“２４”の音声が出力される。
【００７１】
この状態で、ユーザが音量アップキー４１，５１（音量ダウンキー４２，５２）を押圧操作したとき、表示部２３には図４（ｃ）（図４（ａ））に示すように、音量調整用バーＢ１、音量表示バーＢ６より１目盛分長い音量表示バーＢ７（短い音量表示バーＢ５）、及び音量レベル“２８”（“２０”）に対応する表示レベル“７”（“５”）とが表示され、スピーカ２１からは音量レベル“２８”（“２０”）の音声が出力される。
【００７２】
以下では、現状の音量レベルが“２４”（表示レベル“６”）である場合を例示するが、他の音量レベルであっても略同様である。
【００７３】
図５（ａ）〜（ｃ）及び図６（ａ），（ｂ）は、夫々表示部２３に、ファインモード時に表示される画面の一例を示す模式図である。
表示部２３には、音量調整用バーＢ１に重ねるようにして、音量調整用バーＢ１よりも太く短い音量調整用バーＢ２が表示される。音量調整用バーＢ２の寸法、形状等は、音量調整用バーＢ１の一部を拡大表示したかのような寸法、形状等を有する。
【００７４】
音量調整用バーＢ２の中央に表示される表示レベルは、現状の音量レベル“２４”に対応する表示レベル“６”であり、音量調整用バーＢ２の両端に表示される表示レベルは、今回のファインモードで調整可能な第２範囲の最小レベル“１６”及び最大レベル“３２”に対応する表示レベル“４”及び“８”である。
更に、“４”と“６”との中間に“５”が表示され、“６”と“８”との中間に“７”が表示される。しかも、隣接する表示レベル（例えば“５”と“６”と）の離隔距離は、通常モードにおける１目盛分の距離の２倍である。
【００７５】
更にまた、ユーザによる音量アップキー４１，５１（音量ダウンキー４２，５２）の押圧操作に応じて、音量調整用バーＢ２内の反転表示された音量表示バーＢが１目盛ずつ増加（減少）するが、この１目盛の長さは、通常モードにおける１目盛の長さの１／２倍（音量調整用バーＢ１の長さの３２等分の長さ）である。
このため、表示部２３を視認したユーザは、音量を４レベルから８レベルまで、狭い範囲で小刻みに調整可能であることが容易に把握できる。
【００７６】
音量調整用バーＢ２の音量調整用バーＢ１に対する配置は、例えば現状の音量レベルに対応する表示レベルが、音量調整用バーＢ１の中央位置に表示される表示レベル“８”よりも小さい場合、音量調整用バーＢ２の中央位置は音量調整用バーＢ１の左寄りに表示される。具体的には、図５（ａ）に示すように、現状の音量レベル“２４”に対応する表示レベル“６”が表示レベル“８”よりも小さいため、音量調整用バーＢ１の左寄りに音量調整用バーＢ２の中央位置が表示される。
【００７７】
逆に、現状の音量レベルに対応する表示レベルが表示レベル“８”よりも大きい場合、音量調整用バーＢ２の中央位置は音量調整用バーＢ１の右寄りに表示される。
また、現状の音量レベルに対応する表示レベルが“８”である場合は、音量調整用バーＢ２の中央位置は音量調整用バーＢ１の中央に表示される。
このため、ユーザは音量調整用バーＢ２の表示位置を視認することによって、どの程度の音量（例えば小さめの音量なのか大きめの音量なのか）を更に小刻みに調整しようとしているのかを感覚的に把握することができる。
【００７８】
図５（ａ）は、通常モードにて現状の音量レベルが“２４”である場合にファインモードに切り換えたとき表示部２３に表示される画面を示している。
表示部２３には、図５（ａ）に示すように、音量調整用バーＢ１、音量調整用バーＢ１の手前側に重ねて配された音量調整用バーＢ２、及び表示レベル“４”〜“８”が表示される。更に、現状の音量レベル“２４”に対応する表示レベル“６”が強調表示され、音量レベル“２４”に対応する音量表示バーＢが表示され、スピーカ２１からは音量レベル“２４”の音声が出力される。
【００７９】
この状態で、ユーザが音量アップキー４１，５１を押圧操作したとき、現状の音量レベルは“２５”となり、表示部２３には図５（ｂ）に示すように、図５（ａ）と同様の音量調整用バーＢ１、音量調整用バーＢ１の手前側に重ねて配された音量調整用バーＢ２、及び表示レベル“４”〜“８”が表示される。更に、表示レベル“６”の強調表示は解除され、音量レベル“２５”に対応する音量表示バーＢが表示され、スピーカ２１からは音量レベル“２５”の音声が出力される。
音量レベル“２５”に対応する音量表示バーＢは、音量レベル“２４”に対応する音量表示バーＢよりも１目盛分長い。
【００８０】
この状態で、更にユーザが音量アップキー４１，５１を押圧操作したとき、現状の音量レベルは“２６”となり、その上でユーザが音量アップキー４１，５１を押圧操作したとき、現状の音量レベルは“２７”となり、表示部２３には図５（ｃ）（図６（ａ））に示すように、音量レベル“２６”（“２７”）に対応する音量表示バーＢが表示され、スピーカ２１からは音量レベル“２６”（“２７”）の音声が出力される。
音量レベル“２６”（“２７”）に対応する音量表示バーＢは、音量レベル“２４”に対応する音量表示バーＢよりも２目盛（３目盛）分長い。
【００８１】
そして、更にこの状態で、ユーザが音量アップキー４１，５１を押圧操作したとき、現状の音量レベルは“２８”となり、図６（ｂ）に示すように、音量レベル“２８”に対応する表示レベル“７”が強調表示され、音量レベル“２８”に対応する音量表示バーＢが表示され、スピーカ２１からは音量レベル“２８”の音声が出力される。
音量レベル“２８”に対応する音量表示バーＢは、音量レベル“２４”に対応する音量表示バーＢよりも４目盛分長い。
【００８２】
以上のように、ファインモードにおいては、音量レベルが“２４”，“２８”のように通常モードで用いられる音量レベルに等しい場合、対応する表示レベル“６”，“７”を強調表示させることによって、ユーザが通常モードの音量レベルとファインモードの音量レベルとの関係を把握することができる。
【００８３】
図７〜図９は、ＭＰＵ３０が実行する音量調整処理の手順を示すフローチャートである。
オーディオ装置１は、電源投入直後は通常モードであり、また、ＲＡＭ６の各記憶部６ａ，６ｂ，６ｃには何も記憶されていない。
オーディオ装置１の電源が投入された場合、ＭＰＵ３０は、通常モードであると判定し、通常モード時に音量データ記憶部６ａに記憶される１７個の８ビットデータ（以下、通常音量データという）を、関数記憶部７ａに記憶してある関数を用いて算出する（Ｓ１１）。
【００８４】
Ｓ１１で用いられる関数は、通常音量データを算出するための関数（以下、通常用関数という）であり、式（１）に対応する。
ＭＰＵ３０は、Ｓ１１で算出された通常音量データを音量データ記憶部６ａに記憶させる（Ｓ１２）。Ｓ１２の処理の完了後、音量データ記憶部６ａには、図２に示す１７個の８ビットデータが記憶される。
【００８５】
ＭＰＵ３０は、現状値記憶部６ｂに、現状の音量レベルに対応するポインタのデータを現状値として記憶させる（Ｓ１３）。Ｓ１３における現状の音量レベルは、例えば、工場出荷時にＥＥＰＲＯＭ７に予め記憶されているデフォルトの音量レベル“２４”である。
【００８６】
そしてＭＰＵ３０は、音量データ記憶部６ａに記憶されている８ビットデータに基づいて、表示部２３に、図４に示すように、音量調整用バーＢ１、第１範囲の表示レベル“０”及び“１６”等の音量調整範囲を表示させる（Ｓ１４）。
【００８７】
更に、ＭＰＵ３０は、現状値記憶部６ｂに記憶されているポインタのデータに関連付けて音量データ記憶部６ａに記憶されている８ビットデータを読み出し（Ｓ１５）、読み出した８ビットデータに基づいて、音量調整部２２を制御する（Ｓ１６）。Ｓ１６の処理完了によって、スピーカ２１からは、例えばデフォルトの音量レベル“２４”の音量で音声が出力される。
【００８８】
更にまた、ＭＰＵ３０は、Ｓ１５で読み出した８ビットデータに基づいて、現状の音量レベルを表示させる（Ｓ１７）。Ｓ１７においては、例えば現状の音量レベルが“２４”であれば、図４（ｂ）に示すように、表示レベル“６”及び音量表示バーＢ６が表示部２３に表示される。
【００８９】
ＭＰＵ３０は、音量アップキー４１，５１又は音量ダウンキー４２，５２が操作されたか否かを判定し（Ｓ１８）、操作された場合（Ｓ１８でＹＥＳ）、音量アップキー４１，５１（音量ダウンキー４２，５２）の操作に基づいて、１個分増加（減少）させたポインタのデータを現状値として現状値記憶部６ｂに上書きする（Ｓ１９）。
【００９０】
Ｓ１９の処理完了後、ＭＰＵ３０は、処理をＳ１５へ戻して、現状値記憶部６ｂに記憶されているポインタのデータに関連付けて音量データ記憶部６ａに記憶されている８ビットデータを読み出し、Ｓ１６にて、読み出した８ビットデータに基づいて、音量調整部２２を制御する。Ｓ１６の処理完了によって、スピーカ２１からは、音量レベル“２４”より４レベル増大（減少）した音量レベル“２８”（“２０”）の音量で音声が出力される。
【００９１】
更にＳ１７にて、ＭＰＵ３０は、Ｓ１５で読み出した８ビットデータに基づいて、現状の音量レベルを表示させる。Ｓ１７においては、例えば図４（ｃ）（図４（ａ））に示すように、表示レベル“６”より１レベル増大（減少）した表示レベル“７”（“５”）及び音量表示バーＢ７（Ｂ５）が表示部２３に表示される。
【００９２】
以上のようにして、通常モードにて音量が粗く調整される。
【００９３】
さて、音量アップキー４１，５１又は音量ダウンキー４２，５２が操作されていない場合（Ｓ１８でＮＯ）、ＭＰＵ３０は、モード切換キー４３，５３が操作されたか否かを判定し（Ｓ２０）、操作されていない場合（Ｓ２０でＮＯ）、電源がオフになったか否かを判定し（Ｓ２１）、オフになっていない場合（Ｓ２１でＮＯ）は処理をＳ１８へ戻し、オフになった場合（Ｓ２１でＹＥＳ）は音量調整処理を終了する。
【００９４】
モード切換キー４３，５３が操作された場合（Ｓ２０でＹＥＳ）、Ｓ２０でＹＥＳと判定された時点で現状値記憶部６ｂに記憶されているポインタのデータに関連付けて音量データ記憶部６ａに記憶されている８ビットデータを最終値として最終値記憶部６ｃに上書きする（Ｓ２２）。
【００９５】
Ｓ２２の処理完了後、通常モードであったオーディオ装置１はファインモードに移行し、ＭＰＵ３０は、ファインモード時に音量データ記憶部６ａに記憶される８ビットデータ（以下、ファイン音量データという）を、関数記憶部７ａに記憶してある関数と、Ｓ２２で最終値記憶部６ｃに記憶された最終値を用いて算出する（Ｓ３１）。
【００９６】
Ｓ３１で用いられる関数は、ファイン音量データを算出するための関数であり、式（２）に対応する。Ｓ２２で最終値記憶部６ｃに記憶された最終値は、通常モードからファインモードへ移行した時点での現状の音量レベルＬ０に対応する。
【００９７】
ＭＰＵ３０は、Ｓ３１で算出されたファイン音量データを、音量データ記憶部６ａに上書きする（Ｓ３２）。Ｓ３２の処理完了後、音量データ記憶部６ａには、例えば最終値記憶部６ｃに記憶された最終値に対応する音量レベルが“２４”である場合、図３に示すような８ビットデータが記憶される。
【００９８】
ＭＰＵ３０は、Ｓ２２で最終値記憶部６ｃに記憶させた８ビットデータに関連付けて音量データ記憶部６ａに記憶されているポインタのデータを、現状値として現状値記憶部６ｂに上書きする（Ｓ３３）。
【００９９】
そしてＭＰＵ３０は、音量データ記憶部６ａに記憶されている８ビットデータに基づいて、表示部２３に、図５及び図６に示すような音量調整用バーＢ２、第２範囲の表示レベル（例えば“４”，“５”，“６”，“７”，“８”）等の音量調整範囲を表示させる（Ｓ３４）。
【０１００】
更に、ＭＰＵ３０は、現状値記憶部６ｂに記憶されているポインタのデータに関連付けて音量データ記憶部６ａに記憶されている８ビットデータを読み出し（Ｓ３５）、読み出した８ビットデータに基づいて、音量調整部２２を制御する（Ｓ３６）。Ｓ３６の処理完了によって、スピーカ２１からは、例えば最終値記憶部６ｃに記憶された最終値に対応する音量レベル、即ち通常モードからファインモードへ切り換えた時点での音量レベル“２４”の音量で音声が出力される。
【０１０１】
更にまた、ＭＰＵ３０は、Ｓ３５で読み出した８ビットデータに基づいて、現状の音量レベルを表示させる（Ｓ３７）。Ｓ３７においては、例えば通常モードからファインモードへ切り換えた時点での音量レベルが“２４”であれば、図５（ａ）に示すように、表示レベル“６”が強調表示され、音量レベル“２４”に対応する音量表示バーＢが表示部２３に表示される。
【０１０２】
ＭＰＵ３０は、音量アップキー４１，５１又は音量ダウンキー４２，５２が操作されたか否かを判定し（Ｓ３８）、操作された場合（Ｓ３８でＹＥＳ）、音量アップキー４１，５１（音量ダウンキー４２，５２）の操作に基づいて、１個分増加（減少）させたポインタのデータを現状値として現状値記憶部６ｂに上書きする（Ｓ３９）。
【０１０３】
Ｓ３９の処理完了後、ＭＰＵ３０は、処理をＳ３５へ戻して、現状値記憶部６ｂに記憶されているポインタのデータに関連付けて音量データ記憶部６ａに記憶されている８ビットデータを読み出し、Ｓ３６にて、読み出した８ビットデータに基づいて、音量調整部２２を制御する。Ｓ３６の処理完了によって、スピーカ２１からは、スピーカ２１からは、音量レベル“２４”より１レベル増大（減少）した音量レベル“２５”（“２３”）の音量で音声が出力される。
【０１０４】
更にＳ３７にて、ＭＰＵ３０は、Ｓ３５で読み出した８ビットデータに基づいて、現状の音量レベルを表示させる。Ｓ３７においては、表示レベル“６”の強調表示が解除され、音量レベル“２５”（“２３”）に対応する音量表示バーＢが表示部２３に表示される（図５（ｂ）参照）。
【０１０５】
以上のようにして、ファインモードにて音量が細かく調整される。
【０１０６】
さて、音量アップキー４１，５１又は音量ダウンキー４２，５２が操作されていない場合（Ｓ３８でＮＯ）、ＭＰＵ３０は、モード切換キー４３，５３が操作されたか否かを判定し（Ｓ４０）、操作されていない場合（Ｓ４０でＮＯ）、電源がオフになったか否かを判定し（Ｓ４１）、オフになっていない場合（Ｓ４１でＮＯ）は処理をＳ３８へ戻し、オフになった場合（Ｓ４１でＹＥＳ）は音量調整処理を終了する。
【０１０７】
モード切換キー４３，５３が操作された場合（Ｓ４０でＹＥＳ）、Ｓ４０でＹＥＳと判定された時点で現状値記憶部６ｂに記憶されているポインタのデータに関連付けて音量データ記憶部６ａに記憶されている８ビットデータを最終値として最終値記憶部６ｃに上書きする（Ｓ４２）。
【０１０８】
Ｓ４２の処理完了後、ファインモードであったオーディオ装置１は通常モードに移行し、ＭＰＵ３０は、通常音量データを、関数記憶部７ａに記憶してある通常用関数を用いて算出し（Ｓ５１）、算出した通常音量データを、音量データ記憶部６ａに上書きする（Ｓ５２）。Ｓ５２の処理完了後、音量データ記憶部６ａには、図２に示すような８ビットデータが記憶される。
【０１０９】
ＭＰＵ３０は、音量データ記憶部６ａに記憶されている８ビットデータの内、Ｓ４２で最終値記憶部６ｃに記憶させた８ビットデータに等しいか、この８ビットデータに最も近い８ビットデータを算出し（Ｓ５３）、算出した８ビットデータに関連付けて音量データ記憶部６ａに記憶されているポインタのデータを現状値として現状値記憶部６ｂに上書きする（Ｓ５４）。
【０１１０】
そしてＭＰＵ３０は、音量データ記憶部６ａに記憶されている８ビットデータに基づいて、表示部２３に、図４に示すような音量調整用バーＢ１、第１範囲の表示レベル“０”及び“１６”等の音量調整範囲を表示させる（Ｓ５５）。
【０１１１】
Ｓ５５の処理完了後、ＭＰＵ３０は、処理をＳ１５へ戻して、現状値記憶部６ｂに記憶されているポインタのデータに関連付けて音量データ記憶部６ａに記憶されている８ビットデータを読み出し、Ｓ１６にて、読み出した８ビットデータに基づいて、音量調整部２２を制御する。Ｓ１６の処理完了によって、スピーカ２１からは、例えばＳ４２で最終値記憶部６ｃに記憶された最終値に対応する音量レベルが“２８”であった場合は、この音量レベルに等しい音量レベル“２８”の音量で音声が出力され、前記最終値に対応する音量レベルが“２５”であった場合は、この音量レベルに最も近い音量レベル“２４”の音量で音声が出力される。
【０１１２】
以上のような音声調整処理において、操作パネル４及びリモコン５は、夫々、音量を調整するための操作部として機能する。
また、Ｓ１５及びＳ３５夫々におけるＭＰＵ３０は、音量データ記憶部６ａから、Ｓ１８及びＳ３８夫々における操作部の操作に対応した音量のレベルを表すデータを読み出す読出手段として機能する。更に、Ｓ１６及びＳ３６夫々におけるＭＰＵ３０は、読出手段が読み出したデータに基づいて、音量調整部２２による音量の調整を制御する調整制御手段として機能する。
【０１１３】
Ｓ２０及びＳ４０夫々におけるＭＰＵ３０は、音量を粗く調整するか細かく調整するかを操作部の操作に応じて判定する判定手段として機能する。
Ｓ１１及びＳ５１におけるＭＰＵ３０は、判定手段が、音量を粗く調整すると判定した場合（電源投入直後、及びＳ４０でＹＥＳの場合）、第１範囲の音量のレベルを表すデータを、レベル間隔が広い状態（所定調整量Ｇ１）で複数算出する第１データ算出手段として機能し、Ｓ１２及びＳ５２におけるＭＰＵ３０は、第１データ算出手段が算出したデータを音量データ記憶部６ａに上書き記憶させる第１上書手段として機能する。
【０１１４】
Ｓ３１におけるＭＰＵ３０は、判定手段が、音量を細かく調整すると判定した場合（Ｓ２０でＹＥＳの場合）、第２範囲の音量のレベルを表すデータを、レベル間隔が狭い状態（所定調整量Ｇ２）で複数算出する第２データ算出手段として機能し、Ｓ３２におけるＭＰＵ３０は、第２データ算出手段が算出したデータを音量データ記憶部６ａに上書き記憶させる第２上書手段として機能する。
【０１１５】
そして、Ｓ３１において、第２データ算出手段であるＭＰＵ３０は、Ｓ１８における操作部の操作に対応した音量のレベルを表すデータ、即ちＳ２２で最終値記憶部６ｃに記憶された最終値に基づいて、式（２）に対応する関数を用い、第２範囲の最大レベルを表すデータ及び最小レベルを表すデータを算出する。
【０１１６】
Ｓ５３におけるＭＰＵ３０は、Ｓ５１にて第１データ算出手段であるＭＰＵ３０がデータを算出する場合に、Ｓ４０における操作部の操作に対応した音量のレベルを表すデータ、即ちＳ４２で最終値記憶部６ｃに記憶された最終値に基づいて、Ｓ４０における操作部の操作に対応した音量のレベルに等しいか、又は最も近似する第１範囲の音量のレベルを算出する音量レベル算出手段として機能し、Ｓ１５において、読出手段であるＭＰＵ３０は、音量データ記憶部６ａから、音量レベル算出手段が算出した音量のレベルを表すデータを読み出す。
【０１１７】
Ｓ１４及びＳ１７におけるＭＰＵ３０は、第１データ算出手段が算出したデータに基づいて、第１範囲を示す表示内容を表示しつつ、操作部の操作に対応した音量のレベルを表示するよう表示部２３を制御する第１表示制御手段として機能する。また、Ｓ３４及びＳ３７におけるＭＰＵ３０は、第２データ算出手段が算出したデータに基づいて、第２範囲を示す表示内容を、第１範囲を示す表示内容に関連付けて表示しつつ、操作部の操作に対応した音量のレベルを表示するよう表示部２３を制御する第２表示制御手段として機能する。
【０１１８】
そして、判定手段、第１データ算出手段、第１上書手段、第２データ算出手段及び第２上書手段は、音量データ記憶部６ａに、音量を粗く調整する場合の調整可能な第１範囲の音量のレベルを表すデータと、音量を細かく調整する場合の調整可能な前記第１範囲よりも狭い第２範囲の音量のレベルを表すデータとを排他的に記憶させる記憶制御手段として機能する。
【０１１９】
以上のようなオーディオ装置１は、通常モードとファインモードとを設け、通常モードからファインモードへ移行した時点の音量レベルを中心に、この音量レベル周辺を密に設定できるようにしてあるが、それによるメモリ容量の増加は伴わない。
【０１２０】
このようなオーディオ装置１は、ユーザが本当に細かく調整したい部分の周辺の音量レベルを密に割り当てることができるため、非常に使い勝手がよい。例えば周りが静かな場合は音量レベルが小さい部分で細かく調整でき、周りが静かでない場合は音量レベルが大きい部分で細かく調整できるようになる。
更に、ファインモード時においても音量調整用メモリ容量を増やすことなく対応できる。
【０１２１】
また、ファインモードにおける表示部２３に音量調整用バーＢ１の一部のエリアを拡大した音量調整用バーＢ２を表示することによって、ファインモードであることをユーザが容易に認識できるようにしてある。
更にまた、通常モードでは、音量の大幅な変更を短時間（少数回のキー操作）で実行することが可能である。
【０１２２】
なお、簡単のために詳述は省略したが、本実施の形態においては、通常モードにて現状の音量レベルが“２４”である場合に通常モードから切り換えられたファインモードでは、音量レベル“１６”〜音量レベル“３２”間で音量調整を行なうようにしている。このため、図６（ｂ）の時点でユーザが音量アップキー４１，５１を４回押圧操作したとき、現状の音量レベルは“３２”となり、音量レベル“３２”に対応する表示レベル“８”が強調表示され、音量レベル“３２”に対応する音量表示バーＢが表示され、スピーカ２１からは音量レベル“３２”の音声が出力される。しかしながら、音量アップキー４１，５１を５回押圧操作しても、音量アップキー４１，５１を４回押圧操作した状態が維持される。
【０１２３】
このような構成に限らず、音量アップキー４１，５１を５回押圧操作することによって、音量調整用バーＢ２の配置はそのままに、表示レベルの表示を“５”〜“９”に変更して、音量レベル“３２”を超過しても更に音量を細かく調整できるようにしてもよい。
【０１２４】
また、オーディオ装置１は、ラジオ受信機、ＣＤプレイヤ等のような独立した音声発生装置に限定されず、例えば、液晶表示装置に内蔵される音声発生装置でもよい。この場合、制御部３、操作パネル４、表示部２３等は、液晶表示装置の制御部、操作パネル、表示部等も兼ねる。
【図面の簡単な説明】
【０１２５】
【図１】本発明に係るオーディオ装置の構成を示すブロック図である。
【図２】本発明に係るオーディオ装置が備えるＲＡＭの音量データ記憶部に、通常モード時に記憶されるデータの一例を示す模式図である。
【図３】本発明に係るオーディオ装置が備えるＲＡＭの音量データ記憶部に、ファインモード時に記憶されるデータの一例を示す模式図である。
【図４】本発明に係るオーディオ装置が備える表示部に、通常モード時に表示される画面の一例を示す模式図である。
【図５】本発明に係るオーディオ装置が備える表示部に、ファインモード時に表示される画面の一例を示す模式図である。
【図６】本発明に係るオーディオ装置が備える表示部に、ファインモード時に表示される画面の一例を示す模式図である。
【図７】本発明に係るオーディオ装置が備えるＭＰＵが実行する音量調整処理の手順を示すフローチャートである。
【図８】本発明に係るオーディオ装置が備えるＭＰＵが実行する音量調整処理の手順を示すフローチャートである。
【図９】本発明に係るオーディオ装置が備えるＭＰＵが実行する音量調整処理の手順を示すフローチャートである。
【符号の説明】
【０１２６】
１    オーディオ装置
２１  スピーカ
２２  音量調整部
２３  表示部
３０  ＭＰＵ
４    操作パネル（操作部）
４１，５１  音量アップキー
４２，５２  音量ダウンキー
４３，５３  モード切換キー
５    リモコン（操作部）
６ａ  音量データ記憶部
６ｂ  現状値記憶部
６ｃ  最終値記憶部
７ａ  関数記憶部
【図１】
2008005332.tif 000003
【図２】
2008005332.tif 000004
【図３】
2008005332.tif 000005
【図４】
2008005332.tif 000006
【図５】
2008005332.tif 000007
【図６】
2008005332.tif 000008
【図７】
2008005332.tif 000009
【図８】
2008005332.tif 000010
【図９】
2008005332.tif 000011